(57)【特許請求の範囲】
【請求項１】
円形の蓋体と、この蓋体を内側に嵌め込んで収納する枠体とを、前者が後者に嵌め込まれた状態でロックするものであって、蓋体の外面外周部に、下側に内方縁部を連設した水平投影が異形のバール挿入孔を形成し、このバール挿入孔の近傍における蓋体の下面に、水平な枢軸によって揺動可能に支承され、枠体の錠座に係合する方向に付勢された傾斜片と、バール挿入孔内に臨む受け片とを形成した錠部材を配設し、一方、シリンダ錠を内蔵した外枠を蓋体のバール挿入孔に直接嵌着し或いは抜去し、以て外枠着脱構造を簡単にするため、外枠の外形をバール挿入孔に着脱可能にして回動不能に嵌め込むことができるように設定すると共に、外枠に形成された段部とバール挿入孔に形成された受け部とを係合させて外枠が下方に抜け出ないようにし、また、外枠に担持されたシリンダ錠の内筒に固定した係止片を内方縁部の下端より下方に配設し、以て、シリンダ錠の内筒の回動により、係止片が内方縁部に係合する位置と係合しない位置の間を回動できるようにし、外枠をバール挿入孔に嵌着し、上記係止片を内筒縁部に係合させることにより、バール挿入孔を封じて蓋体を枠体にロックし、鍵によって係止片を回すことにより、シリンダ錠をバー挿入孔から抜いて錠部材の受け片をバール挿入孔内に露呈させ、この受け片をバールによって操作することにより傾斜片と錠部材との係合を解き、蓋体のロック状態を解くようにしたことを特徴とする地下構造物用蓋のロック装置。
【発明の詳細な説明】
【０００１】
【発明の属する技術分野】
この発明は、マンホールの蓋、メータ点検口の蓋又は弁類操作口の蓋のような地下構造物用蓋のロック装置の改良に関する。
【０００２】
【従来の技術】
従来のこの種の蓋のロック装置としては、例えば、本件の出願人等によって出願され、実公平６−３３００１号として公告されたものを挙げることができる。
【０００３】
その従来装置は、蓋体周縁部に設けた凹窪部の底板部に、枠体の錠座に係合する錠部材と該錠部材の旋回を制御するプラグとを配設した地下構造物用蓋において、前記プラグの頭部周側面に形成した係合部に係止する進退自在なラッチを備えた錠前を前記バール挿入孔の底板部上に取外し可能に配置したものである。
【０００４】
【発明が解決しようとする課題】
この発明の地下構造物用蓋は、前記の従来装置において、シリンダ錠その他の錠前と錠部材との間に介在するプラグ及びラッチを排し、構造を極端に簡単にしてコストダウンを計ること、並びに、構造を簡単にしてあるに関わらず施錠の確実性は低下することなく十分に保たれるようにすることを目的として提案されたものである。
【０００５】
また、この発明は、シリンダ錠の使い方について発想の転換がなされたことに関しても注目されるべきである。要するに、この発明におけるシリンダ錠は施錠時それ自体がバールの操作用開口であるバール挿入孔の閉塞栓をなし、バールによる錠部材の操作を不能にしている。
【０００６】
【課題を解決するための手段】
上記の目的を達成するため、この発明に係る地下構造物用蓋のロック装置は、円形の蓋体と、この蓋体を内側に嵌め込んで収納する枠体とを、前者が後者に嵌め込まれた状態でロックするものであって、蓋体の外面外周部に、下側に内方縁部を連設した水平投影が異形のバール挿入孔を形成し、このバール挿入孔の近傍における蓋体の下面に、水平な枢軸によって揺動可能に支承され、枠体の錠座に係合する方向に付勢された傾斜片と、バール挿入孔内に臨む受け片とを形成した錠部材を配設し、一方、シリンダ錠を内蔵した外枠を蓋体のバール挿入孔に直接嵌着し或いは抜去し、以て外枠着脱構造を簡単にするため、外枠の外形をバール挿入孔に着脱可能にして回動不能に嵌め込むことができるように設定すると共に、外枠に形成された段部とバール挿入孔に形成された受け部とを係合させて外枠が下方に抜け出ないようにし、また、外枠に担持されたシリンダ錠の内筒に固定した係止片を内方縁部の下端より下方に配設し、以て、シリンダ錠の内筒の回動により、係止片が内方縁部に係合する位置と係合しない位置の間を回動できるようにし、外枠をバール挿入孔に嵌着し、上記係止片を内筒縁部に係合させることにより、バール挿入孔を封じて蓋体を枠体にロックし、鍵によって係止片を回すことにより、シリンダ錠をバー挿入孔から抜いて錠部材の受け片をバール挿入孔内に露呈させ、この受け片をバールによって操作することにより傾斜片と錠部材との係合を解き、蓋体のロック状態を解くようにしたことを特徴とする。
【０００７】
【発明の実施の形態】
以下、図面に示す実施例に基づいて、この発明について説明する。
図１〜図３において、符号１は舗装面１０等の開口部分に設置された枠体で、その開口はマンホール、メータ点検口又は弁類操作口などとして利用される。２は枠体１に開閉可能に嵌め合わされる蓋体である。
【０００８】
蓋体２の下面周辺部には、枠体１の錠座１１に対し係脱される可動の錠部材３を設ける。図２において、実線で示された錠部材３は施錠状態にあり、鎖線で示された錠部材３は解錠位置を占めている。
【０００９】
図示例の錠部材３は蓋体２に対し枢軸３１をもって揺動可能にしてあり、自重又はばね（図示しない）の付勢により施錠位置が保たれるようにしてある。
【００１０】
錠部材３は後述のバール挿入孔２１から差し込まれるバールによって施錠位置から解錠位置に変位作動される可動のものであるならば、蓋体２に対し直線的に変位できるスライド形式のものでもよい。
【００１１】
蓋体２における錠部材３の近傍には該錠部材３を外方からバールで操作するためのバール挿入孔２１を設ける。図示例のバール挿入孔２１はＵ字状の切欠きとして形成されているが、例えば長円状その他の形状の穴としてもよい。
【００１２】
バール挿入孔２１に着脱可能にはめ込まれるシリンダ錠４は、周知のピンタンブラー錠、ディスクタンブラー錠又はロータリーディスクタンブラー錠等が採用されるもので、図４に明示するように、外筒４１及び内筒４２を具備する。
【００１３】
図示例のシリンダ錠４では、外筒４１は中空の外枠４３内に底板４４及び止めねじ４５により固定してあり、外枠４３の上面部には必要に応じて設けられる錠蓋４６が開閉可能に装着してある。
【００１４】
前記の錠蓋４６は、キーガイド４７に設けた鍵孔（図示しない）にごみや泥などが入り目詰りすることを防止するもので、鍵（図示しない）を差し込む時以外は図４（Ａ）に実線で示されるように閉ざしてある。
【００１５】
錠蓋４６の閉鎖状態は、錠蓋４６に回動可能にして軸線方向に変位可能に取り付けた有底円筒状の連結片４８を外枠４３の円筒状の口部にねじ合わせることによって保たれており、その連結片４８は工具係着部４９に係着されるレンチ（図示しない）で回動操作することにより外枠４３の口部に係脱される。
【００１６】
図４（Ａ）又は図２に鎖線で示すように錠蓋４６を開放したら、シリンダ錠４の鍵孔に対し矢印Ｐのように下向きに鍵（図示しない）を差し込み、それを例えば９０°の角度範囲で回動させる。
【００１７】
鍵により回動される内筒４２の下端（内方端）には、水平方向で外側に向け突出させた係合端５１を有する係止片５をピン５２等で固設する。前記の係合端５１は図示例では係止片５の両端に設けてあるが、一端のみに設けてもよい。
【００１８】
外枠４３及びその蓋４６を含むシリンダ錠４の全体を図１〜図３に示すようにバール挿入孔２１内に拘束状態で保持させている平常時、言い換えると、地下構造物用の蓋体２を閉鎖状態にロックしているとき、係止片５の係合端５１は蓋２におけるバール挿入孔２１の内方縁部２２（図３参照）には係合させてある。
【００１９】
この状態では、バール挿入孔２１はシリンダ錠４自体で封鎖されているので、バールを差し込むことができず、バールによる錠部材３の変位操作は行うことはできない。
【００２０】
従って、蓋体２は枠体１に対し施錠されていることになり、鍵を用いてシリンダ錠４を外さない限り開放させることはできない。
【００２１】
なお、図４において、符号５３はシリンダ錠４における外枠４３の底板４４に突設したストッパで、内筒４２と共に回動する係止片５の回動範囲を制限するものである。
【００２２】
シリンダ錠４の外筒４１に一体的に固定される外枠４３は、仮にバール挿入孔２１内で回転可能にしてあると、係止片５１の回動操作について不都合を来たす（係止片５１の角度位置が不安定になる）ので、その横断面外形を非円形とする。
【００２３】
また、バール挿入孔２１内には、上から嵌め込まれるシリンダ錠４が下から抜け出さないようにするための受け部２３を備える（図３参照）。受け部２３は段部、突条、突起等で形成され、外枠４３の段部２４等を下から受けるようにしてある。
【００２４】
図示例のロック装置に組み込まれるシリンダ錠４においては、外筒４１と外枠４３とは別体として作られているが、両者は一体のものとして製作することもできる。
【００２５】
上述のようにロック状態にある蓋体２を開放させるためには、錠蓋４６を開いた後、シリンダ錠４の鍵孔に鍵を差し込み例えば右回りに９０°回すと、内筒４２と共に回動する係止片５の係合端５１がバール挿入孔２１の内方縁部２２から外れるので、シリンダ錠４は全体としてバール挿入孔２１から矢印Ｑのように外方（上方）に向け抜き取ることができる。
【００２６】
そこで、開放されたバール挿入孔２１からバールを差し込み、錠部材３を図２の実線で示す位置から鎖線で示す位置まで揺動させれば、その錠部材３と枠体１の錠座１１との係合が解除されるので、蓋体２はロック状態が解かれ開放できることになる。
【００２７】
図２で符号３２は錠部材３の下端側に一体に設けた傾斜片で、その傾斜面は蓋体２を枠体１に対し閉ざした際に該錠部材３を錠座１１に対し自動的に係合させるための案内面として作用する。符号３３は錠部材３の上端側に一体に突設したバールの受け片を示す。
【００２８】
蓋体２におけるロック装置が備えられた部分とは反対側の部分（図１で蓋体２の右方側の部分）は、枠体１に対し枢着させてあるのが普通である。
【００２９】
その枢着手段を掛け外しできるようにしておくと、蓋体２は揺動して開放できるだけではなく、取り外すこともできるので便利である。
【００３０】
【発明の効果】
以上に説明したこの発明の地下構造物用蓋のロック装置は、鍵により着脱されるようにしたシリンダ錠自体によって蓋体のバール挿入孔（差込み孔）を閉塞するようにしてあり、シリンダ錠と錠部材との間に介在させるラッチ等の連係部材材を排し、解錠時はバールで錠部材を直接作動操作するようにしたので、構造が簡単で大幅なコストダウンが計れ、又、施錠状態の確実性も全く劣ることがないなどの効果を奏する。
【図面の簡単な説明】
【図１】この発明の実施例の要部を示す平面図。
【図２】図１のＩＩ−ＩＩ線による部分縦断側面図。
【図３】図１のＩＩＩ−ＩＩＩ線による拡大部分縦断正面図。
【図４】いずれも図１の実施例から取り外したシリンダ錠部分を拡大して表した図で、（Ａ）は縦断側面図、（Ｂ）は正面図、（Ｃ）は底面図である。
【符号の説明】
１  枠体
１１  錠座
２  蓋体
２１  バール挿入孔
２２  内方縁部
２３  受け部
３  錠部材
４  シリンダ錠
４１  外筒
４２  内筒
５  係止片
【図１】
0003809555.tif 000002
【図２】
0003809555.tif 000003
【図３】
0003809555.tif 000004
【図４】
0003809555.tif 000005